(57)【要約】【目的】  流動体と共に入れた微細な発泡ビーズがその比重差によって浮上動作等する状態を観察して装飾的に利用する部材とそれを応用した物品を提供すること。【構成】  外部から観察できるように少なくともその一部を透明部とした立体部材１の中に、所定の粘度とされた人体に無害な流動性パラフィンまたはプロピレングリコールのどちらか一方と所定サイズ以内に制限された複数個の発泡ビーズ３とを入れて、立体部材１を傾けた際に生じる比重差と粘度に基づく発泡ビーズ３の浮上動作速度を所望の範囲に制御していることを特徴とする発泡ビーズの動きを利用した装飾性立体部材である。【選択図】図１
2008023297.tif 000002
【特許請求の範囲】
【請求項１】
外部から観察できるように少なくともその一部を透明部とした立体部材の中に、所定の粘度とされた人体に無害な流動性パラフィンまたはプロピレングリコールのどちらか一方と所定サイズ以内に制限された複数個の発泡ビーズとを入れて、立体部材を傾けた際に生じる比重差と粘度に基づく発泡ビーズの浮上動作速度を所望の範囲に制御していることを特徴とする発泡ビーズの動きを利用した装飾性立体部材。
【請求項２】
流動性パラフィンやプロピレングリコールの粘度が３７．８℃において２０平方ｍｍ／秒〜３０平方ｍｍ／秒であり、発泡ビーズのサイズが直径で０．３ｍｍ〜１ｍｍとされていることから、立体部材における発泡ビーズの浮上動作速度が２ｍｍ／秒〜４ｍｍ／秒の範囲で任意に制御可能とされていることを特徴とする請求項１に記載の発泡ビーズの動きを利用した装飾性立体部材。
【請求項３】
立体部材が柔軟性素材により形成された容器であることを特徴とする請求項１又は請求項２に記載の発泡ビーズの動きを利用した装飾性立体部材。
【請求項４】
立体部材が硬質性素材により形成されたものであり、発泡ビーズの浮上動作を制御する調整手段をも備えたものであることを特徴とする請求項１又は請求項２に記載の発泡ビーズの動きを利用した装飾性容器。
【請求項５】
発泡ビーズの浮上動作を物理的に制御する調整手段を立体部材内に設置することで発泡ビーズの浮上動作に多様な変化を与え得るようにしたことを特徴とする請求項１〜請求項４の何れか１つに記載の発泡ビーズの動きを利用した装飾性立体部材。
【請求項６】
立体部材の透明部を通して観察できる背景部分に色彩や絵柄模様を施しており、発泡ビーズの浮上動作によって該背景部分が隠されることにより、観察される色彩や絵柄模様が変化することを特徴とする請求項１〜請求項５の何れか１つに記載の発泡ビーズの動きを利用した装飾性立体部材。
【請求項７】
立体部材が小物入れやビニールポーチ、筆入れ、チューインガムケース、キーホルダー用マスコット類、シール、柔軟性素材により形成されたペットボトルカバー、店舗・ドア用サインなどに応用されていることを特徴とする請求項１〜請求項６の何れか１つに記載の発泡ビーズの動きを利用した装飾性立体部材。
【請求項８】
立体部材が印鑑ホルダーやキーホルダー、ボールペン、シャープペンシル、キーライト、キーホルダーなどに応用されていることを特徴とする請求項１〜請求項６の何れか１つに記載の発泡ビーズの動きを利用した装飾性立体部材。
【請求項９】
流動性パラフィンやプロピレングリコールに透明性の着色を施していることを特徴とする請求項１〜請求項８の何れか１つに記載の発泡ビーズの動きを利用した装飾性立体部材。
【請求項１０】
サイズや比重に差のある発泡ビーズを混在させることで立体部材内での浮上動作に変化を付けたことを特徴とする請求項１〜請求項９の何れか１つに記載の発泡ビーズの動きを利用した装飾性立体部材。
【請求項１１】
比重差と粘度により流動性パラフィンやプロピレングリコール内を沈降動作する素材をも中に入れていることを特徴とする請求項１〜請求項１０の何れか１つに記載の発泡ビーズの動きを利用した装飾性立体部材。
【発明の詳細な説明】
【技術分野】
【０００１】  本発明は、流動体と共に入れた微細な発泡ビーズがその比重差と粘度によって浮上動作等する状態を観察して装飾的に利用する部材とそれを応用した物品に関するものである。
【背景技術】
【０００２】  透明な容器の中に水その他の流動体を入れ、さらに比重差によって浮上・沈降動作する微細物などを入れて、容器を傾けたり逆さまにすることで該動作を起してその様子を観察し楽しむ装飾的物品は多数提案され商品化されている。
【特許文献１】  特開２００５−１５３１９１号公報
【発明の開示】
【発明が解決しようとする課題】
【０００３】  しかしながら、容器中での浮上・沈降動作を楽しむといっても、単に空中におけるよりもゆっくりしているので観察し易いという程度のものが殆んどであり、使用する流動体と微細物との組合わせにより動作速度等を精密にコントロールしようとするものは存在していなかった。【０００４】  つまり、流動体の粘性と微細物との組合わせによって動作速度をコントロールすることが技術的に可能であるが、このような関係を正確に捉えて適切な浮上・沈降速度を実現しようとする試みはなされていないのである。【０００５】  また、流動体内に入った微細物の動作を物理的手段によって制御することでより多様な変化を実現することができるが、このような関係をも加味した開発は殆んどされていないのが実情である。
特許文献１は、ゲル中に配置する装飾体について述べているが、流動体の粘性と微細物のサイズ等の条件を適切に組合わせて望ましい動作を実現するような技術開示はなされていない。
【課題を解決するための手段】
【０００６】  本発明は上記したような従来技術の課題を解消すべく研究を重ねて創案されたものであり、特定範囲の粘性を持つように規定された流動性パラフィンまたはプロピレングリコールのような流動体とそのサイズや比重を厳密に管理された発泡ビーズのような微細物との組合わせによって、従来似ないより繊細な動作を実現して美感や面白さの向上を実現したものであり、具体的には以下の如くである。【０００７】  （１）  外部から観察できるように少なくともその一部を透明部とした立体部材の中に、所定の粘度とされた人体に無害な流動性パラフィンまたはプロピレングリコールのどちらか一方と所定サイズ以内に制限された複数個の発泡ビーズとを入れて、立体部材を傾けた際に生じる比重差と粘度に基づく発泡ビーズの浮上動作速度を所望の範囲に制御していることを特徴とする発泡ビーズの動きを利用した装飾性立体部材。【０００８】  （２）  流動性パラフィンやプロピレングリコールの粘度が３７．８℃において２０平方ｍｍ／秒〜３０平方ｍｍ／秒であり、発泡ビーズのサイズが直径で０．３ｍｍ〜１ｍｍとされていることから、容器内における発泡ビーズの浮上動作速度が２ｍｍ／秒〜４ｍｍ／秒の範囲で任意に制御可能とされていることを特徴とする前記（１）項に記載の発泡ビーズの動きを利用した装飾性立体部材。【０００９】  （３）  立体部材が柔軟性素材により形成された容器であることを特徴とする前記（１）項又は（２）項に記載の発泡ビーズの動きを利用した装飾性立体部材。【００１０】  （４）  立体部材が硬質性素材により形成されたものであり、発泡ビーズの浮上動作を制御する調整手段をも備えたものであることを特徴とする前記（１）項又は（２）項に記載の発泡ビーズの動きを利用した装飾性容器。【００１１】  （５）  発泡ビーズの浮上動作を物理的に制御する調整手段を容器内に設置することで発泡ビーズの浮上動作に多様な変化を与え得るようにしたことを特徴とする前記（１）項〜（４）項の何れか１つに記載の発泡ビーズの動きを利用した装飾性立体部材。【００１２】  （６）  立体部材の透明部を通して観察できる背景部分に色彩や絵柄模様を施しており、発泡ビーズの浮上動作によって該背景部分が隠されることにより、観察される色彩や絵柄模様が変化することを特徴とする前記（１）項〜（５）項の何れか１つに記載の発泡ビーズの動きを利用した装飾性立体部材。【００１３】  （７）  立体部材が小物入れやビニールポーチ、筆入れ、チューインガムケース、キーホルダー用マスコット類、シール、柔軟性素材により形成されたペットボトルカバー、店舗・ドア用サインなどに応用されていることを特徴とする前記（１）項〜（６）項の何れか１つに記載の発泡ビーズの動きを利用した装飾性立体部材。【００１４】  （８）  立体部材が印鑑ホルダーやキーホルダー、ボールペン、シャープペンシル、キーライト、キーホルダーなどに応用されていることを特徴とする前記（１）項〜（６）項の何れか１つに記載の発泡ビーズの動きを利用した装飾性立体部材。【００１５】  （９）  流動性パラフィンやプロピリングリコールに透明性の着色を施していることを特徴とする前記（１）項〜（８）項の何れか１つに記載の発泡ビーズの動きを利���した装飾性立体部材。【００１６】  （１０）  サイズや比重に差のある発泡ビーズを混在させることで立体部材内での浮上動作に変化を付けたことを特徴とする前記（１）項〜（９）項の何れか１つに記載の発泡ビーズの動きを利用した装飾性立体部材。【００１７】  （１１）  比重差により流動性パラフィンやプロピレングリコール内を沈降動作する素材をも中に入れていることを特徴とする前記（１）項〜（１０）項の何れか１つに記載の発泡ビーズの動きを利用した装飾性立体部材。
【発明の効果】
【００１８】  外部から観察できるように少なくともその一部を透明部とした立体部材の中に、所定の粘度とされた人体に無害な流動性パラフィンまたはプロピレングリコールのどちらか一方と所定サイズ以内に制限された複数個の発泡ビーズとを入れて、立体部材を傾けた際に生じる比重差と粘度に基づく発泡ビーズの浮上動作速度を所望の範囲に制御していることにより、流動性パラフィンやプロピレングリコール内での発泡ビーズの浮上動作速度を任意にコントロールして望ましい装飾効果を得ることができる。【００１９】  流動性パラフィンやプロピレングリコールの粘度が３７．８℃において２０平方ｍｍ／秒〜３０平方ｍｍ／秒であり、発泡ビーズのサイズが直径で０．３ｍｍ〜１ｍｍとされていることから、容器内における発泡ビーズの浮上動作速度が２ｍｍ／秒〜４ｍｍ／秒の範囲で任意に制御可能とされていることにより、容易かつ確実に発泡ビーズの浮上動作をコントロールして望ましい製品を得ることができる。【００２０】  立体部材が柔軟性素材により形成された容器であることにより、このような素材で形成された多様な物品に対して本発明を応用することができるようになる。【００２１】  立体部材が硬質性素材により形成されたものであり、発泡ビーズの浮上動作を制御する調整手段をも備えたものであることにより、このような素材で形勢される多様な物品に関しても同様に本発明を応用することが可能となる。【００２２】  発泡ビーズの浮上動作を物理的に制御する調整手段を容器内に設置することで発泡ビーズの浮上動作に多様な変化を与え得るようにしたことで、流動性パラフィンやプロピレングリコールと発泡ビーズとの組合わせだけでは実現し難い変化に富んだ動きをも実現することができるようになる。【００２３】  立体部材の透明部を通して観察できる背景部分に色彩や絵柄模様を施しており、発泡ビーズの浮上動作によって該背景部分が隠されることにより、観察される色彩や絵柄模様が変化することで、部材の色彩や絵柄模様をも利用した動きのある装飾効果性の向上を実現することができるようになる。【００２４】  立体部材が小物入れやビニールポーチ、筆入れ、チューインガムケース、キーホルダー用マスコット類、シール、柔軟性素材により形成されたペットボトルカバー、店舗・ドア用サインなどに応用されていることで、実用性も兼ねた物品への本発明の応用がなされることになる。【００２５】  立体部材が印鑑ホルダーやキーホルダー、ボールペン、シャープペンシル、キーライト、キーホルダーなどに応用されていることで、筆記具や文具類などに関しての本発明の利用がなされることになる。【００２６】  流動性パラフィンやプロピレングリコールに透明性の着色を施していることで、より視覚的な美的表現が可能なものとして本発明を実施することは可能となる。【００２７】  サイズや比重に差のある発泡ビーズを混在させることで立体部材内での浮上動作に変化を付けたことにより、多様な動きが複合した状態を実現しより装飾性や面白さを高めたものとして本発明を実現することができるようになる。【００２８】  比重差により流動性パラフィンやプロピレングリコール内を沈降動作する素材をも中に入れていることにより、異なる方向��の動作変化をも加味したことによる装飾性及び面白さを向上した本発明が実現するようになる。
【発明を実施するための最良の形態】
【００２９】  上記してきたような本発明の具体的な実施形態の若干例を添付図面などを利用しながら以下において説明する。
図１は、本発明の立体部材１として、ミニチュアサイズのビールジョッキ２の形状を利用する場合の１例を示したものである。
ここでのミニチュアビールジョッキ２の大きさは、キーホルダーやストラップなどのマスコット部材として採用することを想定するものであることから、縦横奥行き共に２〜３ｃｍ程度、大きくても５ｃｍ程度のものとなっている。【００３０】  このミニチュアビールジョッキ２は透明なプラスチック素材などにより形成されたものであり、内部を中空とされ流動パラフィン３やポリプロピレングリコールを充填すると共に微細な白色の発泡ビーズ４を多数個入れ、さらに微細発泡ビーズ４の浮上動作を実際のビールの泡立ちらしくコントロールするために物理的な制御手段５もジョッキの底部に配置させている。【００３１】  この制御手段５はその内部に入り込んで溜められた微細発泡ビーズ４を少量ずつ浮上動作させるようにコントロールするもので、比較的大量の微細発泡ビーズ４が一気に浮上してジョッキ２上部の泡層を形成した後にもジョッキ２底部からの少量の微細泡上昇動作を模さしめることで、現実のビールジョッキに注がれたビールの状態をリアルに再現しようとするものである。【００３２】  充填される流動パラフィン３やポリプロピレングリコールは本来的には無色透明な液体であるが、適宜な色素を混ぜ合わせることで望ましいカラー付けをすることができることを発明者は確認している。図１の場合にも現実のビール同様な透明な黄金色の着色が可能である。
ミニチュアビールジョッキ２自体を透明な黄金色のプラスチックとなるように着色することも考えられるが、白色の微細泡層として表現されるべきジョッキ２上部においても白色微細発泡ビーズ４に色が付いてしまい好ましくない。【００３３】  また、発泡ビーズ４の大きさと流動性パラフィン３やポリプロピレングリコールの粘度との関係は、例えば、図１のミニチュアビールジョッキ２において現実同様の泡の浮上動作を再現する上で重要な役割を果たす。つまり、ビーズ４のサイズが大きすぎたり、粘度との関係で浮上速度が速すぎたりすると、リアルなビールの泡立ち状況を再現することはできなくなるのである。【００３４】  つまり、ビールジョッキ２はあくまでもミニチュアサイズのものなので、現実のものに対する縮尺関係によりリアルな泡立ち状況再現のためのビーズ４の大きさや流動パラフィン３やポリプロピレングリコールの粘度は変えられるべきものである。具体的には、より小さな縮尺関係にある場合にはビーズ４のサイズを小さくし、流動パラフィン３やポリプロピレングリコールの粘度も大きくしてミニチュアジョッキ２に対して速すぎる泡浮上動作とならないように配慮するが、比較的大きなサイズのミニチュアであれば、ビーズ４のサイズも若干大きめでよく、流動パラフィン３やポリプロピレングリコールの粘度もそれ程大きくしない方がかえってリアルな泡立ちが再現されるのである。【００３５】  本発明では、特にこの流動パラフィン３やポリプロピレングリコールの粘度と発泡ビーズ４のサイズとを厳密に所定範囲内に納まるように調整管理して、立体部材１（ミニチュアビールジョッキ２）をさまざまに傾けたりした際に生じる多数の発泡ビーズ４の移動動作を好ましいものに制御しようとするものである。
なお、ここでの流動パラフィン３やポリプロピレングリコールは食品添加物規格に合格した人体への安全性の高いものを採用するものとしている。【００３６】  すなわち、具体的には気温３７．８℃における粘度が２０平方ｍｍ／秒〜３０平方ｍｍ／秒とされた流動パラフィン３やポリプロピレングリコールを採用し、発泡ビーズ４は略球状であって直径が０．３ｍｍ〜１ｍｍの範囲にあるものを採用する。
そして、このような範囲において適宜な組合わせを選択することで、立体部材１（ミニチュアビールジョッキ２）内において発泡ビーズ４を２ｍｍ／秒〜４ｍｍ／秒の速度で任意に移動動作させることが実現するのである。【００３７】  ただし、ここで流動パラフィン３やポリプロピレングリコールの粘度および発泡ビーズ４の形状やサイズについて所定の幅を持って表現しているが、実際の製品化の場合には所望の移動動作速度を実現するために特定数値の粘度とサイズの選択を行うものである。この範囲内であれば異なるサイズの発泡ビーズ４が適当に混合しても良いというものではなく、あくまでも所定数値の移動速度を実現するために上記範囲内での特定数値の組合わせを正確に行うことが本発明上の重要なポイントである。【００３８】  また、仮に上記範囲内において異なるサイズの発泡ビーズ４を混合させるとしても、それは立体部材１内での移動（浮上）速度に差を設けることによる動作の視覚的変化を狙うものであるから、その効果を確実に実現するために混合比率を正確にコントロールすることが本発明では重要である。【００３８】  上記した範囲条件内で適切な粘度およびサイズに調整した流動パラフィン３やポリプロピレングリコールと発泡ビーズ４を縦横高さ共に数ｃｍ程度の図１のような立体部材１（ミニチュアビールジョッキ２）に充填し、これを傾けたり、逆さまにしたりすると、比重差によって微細な発泡ビーズ４は浮上動作するが、この浮上動作速度を所望のものとすることで、ミニチュアサイズでありながらもリアルな微細泡浮上動作が立体部材１（ミニチュアビールジョッキ２）内で実現されることになる。
浮上速度を流動パラフィン３やポリプロピレングリコールの粘度と発泡ビーズ４のサイズとの特定の組合わせによってコントロールすることで、さまざまな形状やサイズの立体部材１においてもそれぞれに好ましいリアルさを実現した微細泡浮上動作が実現できるようになるのである。【００３９】  また、図示はしていないが、例えば、カラフルな色彩等を付した別の微細小片をも採用するものとして、その形状やサイズに変化を付けると共に流動パラフィン３やポリプロピレングリコールとの比重差（流動パラフィン３やポリプロピレングリコールより軽くても重くても良い）についても白色の微細発泡ビーズ４とは別の関係性を持たせるものとすることで、立体部材１内においてさまざまな速度を持たせて浮上動作や沈降動作を行わせることが可能である。
このように多様な動作が微細発泡ビーズ４の浮上動作と複合することで、本発明の立体部材１内において装飾性に富んだ変化を観察することができるのである。【００４０】  図２は、本発明の立体部材１としてボールペンのような筆記具６の筆記軸部に採用する場合の１例を示したものである。すなわち、筆記軸部の一部を透明なプラスチック素材などにより中空の円筒状となし、その内部に流動性パラフィン３やポリプロピレングリコールと微細発泡ビーズ４を入れて本発明を実施するものである。【００４１】  この場合にも物理的な制御手段５を用いて泡の浮上動作に変化を与え、さらに他のキャラクター部材７などと合わせることでより装飾性や趣味性を向上したものとすることができるのである。【００４２】  さらに、図３は印鑑などのスタンプ８の軸部分に同様な関係で本発明を実施した場合の１例を示したものであり、図４はペンライト９に応用した場合の１例を示したものである。
このように、本発明はさまざまな日用品において応用可能なものであると理解される。【００４３】  図５は、小物入れとなるポーチ１０の表面側に本発明を応用した例を示している。流動パラフィン３やポリプロピレングリコールの中での発泡ビーズ４の比重差による動作は硬質な立体部材１においてのみではなく、軟質なビニール素材などで形成した図示のような構造物においても十分に実現可能である。
このような軟質素材による立体部材１に本発明を応用することで非常に多くの種類の物品に対してもその装飾性を発泡ビーズ４の動的変化によって向上させることが可能となるのである。【００４４】  つまり、図５は煙草入れなどに相応しい小物入れポーチ１０であるが、同様の構造で図６に示すようなソフト素材によるペンケース１１に応用することも可能であり、同様な応用例は他にも多数考えることができる。【００４５】  図７は、本発明をシール・マグネット・ストラップ１２に採用する場合の１例を示している。すなわち、清涼飲料の入ったカップの形状をかたどったもので、発泡ビーズ４の動きによって炭酸気泡の動作が再現されているものである。図８は、同様のシール・マグネット・ストラップ１２において、ソフトクリームの形状をかたどる場合について示している。図７と同様に微細の発泡ビーズ４の動作によってソフトクリームが表現されるようになっているものである。
【産業上の利用可能性】
【００４６】  以上説明してきたように、本発明の立体部材はさまざまな物品に対してその装飾性や面白さ、趣味性を向上するために応用することができ、多くの工夫と組合わせることで新しい製品群を提供することが可能となるものである。【００４７】  したがって、市場において新たな需要を多く産み出す可能性を秘めたものとして、その産業上の利用可能性において優れた発明であると理解されるべきものである。
【図面の簡単な説明】
【００４９】
【図１】  本発明をミニチュアのビールジョッキに応用した場合の１例を示した図面である。
【図２】  本発明をボールペンのような筆記具６の筆記軸部に採用する場合の１例を示したものである。
【図３】  印鑑などのスタンプ類の軸部分に同様な関係で本発明を実施した場合の１例を示したものである。
【図４】  ペンライトに応用した場合の１例を示したものである
【図５】  小物入れとなるポーチの表面側に本発明を応用した例を示したものである。
【図６】  ソフト素材によるペンケースに本発明を応用する場合を示したものである。
【図７】  本発明をシール・マグネット・ストラップに採用する場合の１例を示している。
【図８】  本発明を別な形状のシール・マグネット・ストラップに採用する場合の１例を示している。
【符号の説明】
【００５０】  １  本発明の立体部材
２  ミニチュアビールジョッキ
３  流動性パラフィンまたはポリプロピレングリコール
４  微細発泡ビーズ
５  物理的制御手段
６  ポールペンのような筆記具
７  キャラクター部材
８  印鑑などのスタンプ
９  ペンライト
１０  小物入れポーチ
１１  ソフト素材ペンケース
１２  シール・マグネット・ストラップ
【図１】
2008023297.tif 000003
【図２】
2008023297.tif 000004
【図３】
2008023297.tif 000005
【図４】
2008023297.tif 000006
【図５】
2008023297.tif 000007
【図６】
2008023297.tif 000008
【図７】
2008023297.tif 000009
【図８】
2008023297.tif 000010